(57)【要約】【課題】  歩行者用の赤信号での歩行禁止時間や青信号での歩行可能時間の表示を、歩行者に明確に判断できるようにすると共に、車両用の現示信号灯器のタイミングに基づいて、歩行者用の表示時間を補正することにより、表示タイミングを正確に表示することが可能な歩行者用信号灯器を提供する。【解決手段】  この歩行者用信号灯器１００は、図示しない交通信号制御機１からシリアル信号（ＳＩＯ）と、コモン信号（ＣＯＭ）と、歩行者用信号灯器の赤現示ランプ（ＰＲ）の信号と、歩行者用信号灯器の青現示ランプ（ＰＧ）の信号と、車両用信号灯器の黄現示ランプ（Ｙ）の信号と、を入力し、コモン信号（ＣＯＭ）と歩行者用信号灯器の赤現示ランプ（ＰＲ）の信号は歩行禁止表示板６を点灯し、コモン信号（ＣＯＭ）と歩行者用信号灯器の青現示ランプ（ＰＧ）の信号は歩行許可表示板８を点灯する。【選択図】  図１
2007133748.tif 000002
【特許請求の範囲】
【請求項１】
赤現示表示部を備えた歩行禁止表示板と、青現示表示部を備えた歩行許可表示板と、制御手段と、を有した歩行者用信号灯器において、
前記歩行禁止表示板及び前記歩行許可表示板は、夫々前記赤現示表示部及び前記青現示表示部の近傍に、互いに隣接配置され且つ定量的な時間表示、及び数字による時間表示が可能な複数の発光セグメントから成る表示ブロックを備え、
前記制御手段は、前記赤現示表示部及び前記青現示表示部の点灯に対応して前記各表示ブロックを個別に作動させることにより各表示板上に夫々歩行禁止時間又は歩行可能時間を表示することを特徴とする歩行者用信号灯器。
【請求項２】
一方の前記表示板上の表示ブロックにより一方の前記時間を定量的に表示する場合には、他方の表示板上の表示ブロックにより他方の前記時間を数字により表示することを特徴とする請求項１に記載の歩行者用信号灯器。
【請求項３】
前記表示ブロックによる定量的な時間表示においては、複数の前記発光セグメントを所定の配列にて配置した上で、点灯した発光セグメントの個数により時間を表示することを特徴とする請求項１、又は２に記載の歩行者用信号灯器。
【請求項４】
一方の前記表示板上の表示ブロックを用いて上位を表示し、他方の表示板上の表示ブロックを用いて下位を表示することにより前記時間を表示することを特徴とする請求項１、２又は３に記載の歩行者用信号灯器。
【請求項５】
前記表示ブロックによる定量的な時間表示においては、複数の前記発光セグメントを所定の配列にて配置した上で、点灯する発光セグメントを順次シフトさせることにより前記時間の変化を表示することを特徴とする請求項１に記載の歩行者用信号灯器。
【請求項６】
赤現示表示部を備えた歩行禁止表示板と、青現示表示部を備えた歩行許可表示板と、制御手段と、を有した歩行者用信号灯器において、
前記歩行禁止表示板及び前記歩行許可表示板は、夫々前記赤現示表示部及び前記青現示表示部に併設されて数字による時間表示が可能な複数の発光セグメントから成る表示ブロックを備え、
前記制御手段は、前記赤現示表示部及び前記青現示表示部の点灯に対応して前記各表示ブロックを個別に作動させることにより各表示板上に歩行禁止時間又は歩行可能時間を表示させることを特徴とする歩行者用信号灯器。
【請求項７】
赤現示表示部を備えた歩行禁止表示板と、青現示表示部を備えた歩行許可表示板と、制御手段と、を有した歩行者用信号灯器において、
前記赤現示表示部及び前記青現示表示部は、夫々所定輝度の領域の面積を段階的に変化させたり、所定色の領域の面積を段階的に変化させる構成を備え、
前記制御手段は、前記赤現示表示部及び前記青現示表示部の前記各領域の面積を夫々段階的に変化させることにより各表示板上に歩行禁止時間又は歩行可能時間を表示させることを特徴とする歩行者用信号灯器。
【請求項８】
赤現示表示部を備えた歩行禁止表示板と、青現示表示部を備えた歩行許可表示板と、制御手段と、を有した歩行者用信号灯器において、
前記歩行禁止表示板及び前記歩行許可表示板は、夫々前記赤現示表示部及び前記青現示表示部に併設されて時間の経過と共に形状が変化する形状変化表示部を備え、
前記制御手段は、前記赤現示表示部及び前記青現示表示部の何れか一方の点灯に対応して他方の形状変化表示部を作動させることにより前記各表示板上に歩行禁止時間又は歩行可能時間を表示させることを特徴とする歩行者用信号灯器。
【請求項９】
前記制御手段は、交通信号制御機から入力された前記歩行者用信号灯器の赤現示表示部及び青現示表示部の点灯信号に加えてシリアル信号又は車両の現示表示部の点灯信号の何れか一方を接続し、該シリアル信号又は車両の現示表示部の点灯信号に基づいて前記歩行禁止時間及び前記歩行可能時間の点灯タイミングを補正することを特徴とする請求項１乃至８の何れか一項に記載の歩行者用信号灯器。
【請求項１０】
前記表示ブロックに赤色及び青色の点灯色を併せて備え、該赤色及び青色の点灯色の何れか一方を選択的に点灯可能としたことを特徴とする請求項１乃至９の何れか一項に記載の歩行者用信号灯器。
【発明の詳細な説明】
【技術分野】
【０００１】
本発明は、歩行者用信号灯器に関し、さらに詳しくは、目視により歩行禁止時間（待ち時間）及び歩行可能時間（残り時間）の把握を容易化する時間表示を、現示信号と併せて表示するようにした歩行者用信号灯器に関するものである。
【背景技術】
【０００２】
現在の交通信号灯器としては、車両用の赤、黄、青（矢印の青）の現示信号灯器と、歩行者用の赤、青（青の点滅）の現示信号灯器が用いられている。これらの現示信号灯器の点灯タイミングは、現示階梯テーブルと呼ばれるタイムテーブルに基づいて信号制御機により点灯制御されている。車両用の現示信号灯器は、速度の速い車両からの視認性を良くするために、あまり細かい指示を表示しないようにしているが、歩行者用の現示信号灯器は、歩行者からの距離が比較的近いため最近では赤信号での歩行禁止時間や青信号での歩行可能時間を棒グラフ状に明確に表示した信号灯器が現れている。これは歩行禁止時間や歩行可能時間の残存時間が明確でないことに起因して発生する歩行者の心理的なストレスを軽減する意味と、安全性を高めるために設けられたものである。また、車両用の現示信号灯器と歩行者用の現示信号灯器は夫々が独立して点灯しているのではなく、必ず車両用の現示信号灯器の作動に連動して歩行者用の現示信号灯器が点灯制御されることにより、交差する車両と歩行者が同時に青信号により交差点を通過する事態の発生を防いでいる。
しかし、車両用の現示信号灯器の点灯タイミングは常に一定ではなく、交通量や時間帯に応じて点灯時間を変化させている。例えば、車両センサにより交差点を通過する車両の数を検知して、その交通量により赤信号と青信号の時間を調整したり、夜間の交通量が少ない時間帯では、青信号の時間を長くすることが行われている。それに伴って、歩行者用の現示信号灯器のタイミングも微妙に変化させるが、従来の赤信号での歩行禁止時間や青信号での歩行可能時間の棒グラフ表示は、車両用の現示信号灯器のタイミングが変化しても表示時間を補正しないため、点灯の最後で突然消えたり、必要以上に長く点灯したりして歩行者に明確な時間を知らせることができなかった。
従来の歩行禁止時間や歩行可能時間を知らせる歩行者用の信号灯器として特許文献１には、赤現示ランプの点灯に対応して歩行禁止時間表示部に歩行禁止時間の変化を表示するとともに、青現示ランプの点灯に対応して歩行許可時間表示部に歩行可能時間を表示する歩行者用待時間表示装置において、歩行禁止時間表示部は、赤現示ランプの点灯によって駆動開始される駆動電源により駆動され、歩行許可時間表示部は、青現示ランプの点灯によって駆動開始される駆動電源により駆動される技術について開示されている。
【特許文献１】特開平９−２０４５９６号公報
【発明の開示】
【発明が解決しようとする課題】
【０００３】
しかしながら、特許文献１に開示されている従来技術は、交通信号制御機から入力した歩行者用の赤信号と青信号により表示制御部を駆動して、経過時間表示部を表示するため、表示制御部により設定されたタイミングが固定的で、車両用の現示信号灯器のタイミングが変化しても表示時間を補正することができなかった。
本発明は、かかる課題に鑑み、歩行者用の赤信号での歩行禁止時間や青信号での歩行可能時間（残存時間、或いは経過時間）の表示を、歩行者に明確に判断できるようにすると共に、車両用の現示信号灯器のタイミングに基づいて、歩行者用の表示時間を補正することにより、表示タイミングを正確に表示することが可能な歩行者用信号灯器を提供することを目的とする。
【課題を解決するための手段】
【０００４】
本発明はかかる課題を解決するために、請求項１は、赤現示表示部を備えた歩行禁止表示板と、青現示表示部を備えた歩行許可表示板と、制御手段と、を有した歩行者用信号灯器において、前記歩行禁止表示板及び前記歩行許可表示板は、夫々前記赤現示表示部及び前記青現示表示部の近傍に、互いに隣接配置され且つ定量的な時間表示、及び数字による時間表示が可能な複数の発光セグメントから成る表示ブロックを備え、前記制御手段は、前記赤現示表示部及び前記青現示表示部の点灯に対応して前記各表示ブロックを個別に作動させることにより各表示板上に夫々歩行禁止時間又は歩行可能時間を表示することを特徴とする。
本発明は、赤現示表示部及び青現示表示部の夫々に複数の発光セグメントから成る表示ブロックを備える。そしてその表示ブロックの一部に数字が表示できるように構成する。そして表示する場合は、赤現示表示部及び青現示表示部の点灯に対応して各表示ブロックを個別に作動させることにより、各表示板上で歩行禁止時間又は歩行可能時間を表示するものである。
請求項２は、一方の前記表示板上の表示ブロックにより一方の前記時間を定量的に表示する場合には、他方の表示板上の表示ブロックにより他方の前記時間を数字により表示することを特徴とする。
本発明は、歩行禁止時間を表示する場合は、赤現示表示部の表示ブロックを発光セグメントにより表示し、青現示表示部の表示ブロックを数字表示する。また歩行可能時間を表示する場合は、青現示表示部の表示ブロックを発光セグメントにより表示し、赤現示表示部の表示ブロックを数字表示する。尚、これらの表示は赤、青何れの表示内容が表示されても構わない。
【０００５】
請求項３は、前記表示ブロックによる定量的な時間表示においては、複数の前記発光セグメントを所定の配列にて配置した上で、点灯した発光セグメントの個数により時間を表示することを特徴とする。
本発明は時間の経過に伴って発光セグメントを減少（増加）させて時間を表示する。
請求項４は、一方の前記表示板上の表示ブロックを用いて上位を表示し、他方の表示板上の表示ブロックを用いて下位を表示することにより前記時間を表示することを特徴とする。
本発明は、歩行禁止時間又は歩行可能時間を表示する場合は、赤現示表示部の表示ブロックを例えば１０位のセグメントで表示して、青現示表示部の表示ブロックを１位のセグメントで表示する。これにより２桁の数字表示が可能となる。尚、１０位と１位が赤、青何れの表示内容に表示されても構わない。
請求項５は、前記表示ブロックによる定量的な時間表示においては、複数の前記発光セグメントを所定の配列にて配置した上で、点灯する発光セグメントを順次シフトさせることにより前記時間の変化を表示することを特徴とする。
本発明は、セグメント状の表示部の少なくとも１つの点灯した発光セグメントを時間の経過と共に上又は下から順次シフトしていく。
【０００６】
請求項６は、赤現示表示部を備えた歩行禁止表示板と、青現示表示部を備えた歩行許可表示板と、制御手段と、を有した歩行者用信号灯器において、前記歩行禁止表示板及び前記歩行許可表示板は、夫々前記赤現示表示部及び前記青現示表示部に併設されて数字による時間表示が可能な複数の発光セグメントから成る表示ブロックを備え、前記制御手段は、前記赤現示表示部及び前記青現示表示部の点灯に対応して前記各表示ブロックを個別に作動させることにより各表示板上に歩行禁止時間又は歩行可能時間を表示させることを特徴とする。
本発明は、赤現示表示部及び青現示表示部に併設して数字セグメントを備え、赤現示表示部の点灯に対応して歩行禁止時間を表示する場合は、青現示表示部に備えられた数字セグメントにより歩行禁止時間を表示し、歩行者用信号灯器の青現示表示部の点灯に対応して歩行可能時間を表示する場合は、赤現示表示部に備えられた数字セグメントにより歩行可能時間を表示するものである。
請求項７は、赤現示表示部を備えた歩行禁止表示板と、青現示表示部を備えた歩行許可表示板と、制御手段と、を有した歩行者用信号灯器において、前記赤現示表示部及び前記青現示表示部は、夫々所定輝度の領域の面積を段階的に変化させたり、所定色の領域の面積を段階的に変化させる構成を備え、前記制御手段は、前記赤現示表示部及び前記青現示表示部の前記各領域の面積を夫々段階的に変化させることにより各表示板上に歩行禁止時間又は歩行可能時間を表示させることを特徴とする。
本発明は、赤現示表示部及び青現示表示部の夫々を時間と共に段階的に所定輝度の領域の面積又は所定色の領域の面積を順次変化させるものである。
【０００７】
請求項８は、赤現示表示部を備えた歩行禁止表示板と、青現示表示部を備えた歩行許可表示板と、制御手段と、を有した歩行者用信号灯器において、前記歩行禁止表示板及び前記歩行許可表示板は、夫々前記赤現示表示部及び前記青現示表示部に併設されて時間の経過と共に形状が変化する形状変化表示部を備え、前記制御手段は、前記赤現示表示部及び前記青現示表示部の何れか一方の点灯に対応して他方の形状変化表示部を作動させることにより前記各表示板上に歩行禁止時間又は歩行可能時間を表示させることを特徴とする。
本発明は、赤現示表示部及び青現示表示部の夫々に時間と共に形状が変化する形状変化表示部を併せて備え、赤現示表示部の点灯に対応して歩行禁止時間を表示する場合は、青現示表示部に備えられた形状変化表示部の形状を時間と共に変化させ、歩行者用信号灯器の青現示表示部の点灯に対応して歩行可能時間を表示する場合は、赤現示表示部に備えられた形状変化表示部の形状を時間と共に変化させるものである。
請求項９は、前記制御手段は、交通信号制御機から入力された前記歩行者用信号灯器の赤現示表示部及び青現示表示部の点灯信号に加えてシリアル信号又は車両の現示表示部の点灯信号の何れか一方を接続し、該シリアル信号又は車両の現示表示部の点灯信号に基づいて前記歩行禁止時間及び前記歩行可能時間の点灯タイミングを補正することを特徴とする。
本発明は、歩行者用信号灯器の赤現示表示部及び青現示表示部の点灯信号に加えてシリアル信号又は車両の現示表示部の点灯信号の何れか一方を接続するものである。シリアル信号は交通信号制御機が制御する全てのタイミング情報が含まれているため、その情報を元に歩行禁止時間及び歩行可能時間の点灯タイミングを補正することが可能である。また車両の現示表示部の点灯信号からは、車両用の信号タイミングが変化したことを検知して、そこから青現示表示部と赤現示表示部のタイミングを補正することができる。
請求項１０は、前記表示ブロックに赤色及び青色の点灯色を併せて備え、該赤色及び青色の点灯色の何れか一方を選択的に点灯可能としたことを特徴とする。
本発明の表示ブロックは赤色及び青色の点灯色を併せて備えておき、外部からスイッチ或いは配線等で何れか一方を選択的に点灯できるようにした。これにより、１種類の表示ブロックでどちらでも使用が可能となる。
【発明の効果】
【０００８】
請求項１の発明によれば、歩行禁止表示板及び歩行許可表示板は、夫々赤現示表示部及び青現示表示部の近傍に互いに隣接配置され、且つ定量的な時間表示、及び数字による時間表示が可能な複数の発光セグメントから成る表示ブロックを備え、制御手段は、赤現示表示部及び青現示表示部の点灯に対応して各表示ブロックを個別に作動させることにより各表示板上で歩行禁止時間又は歩行可能時間を表示するので、表示面積が大きくなり、信号の視認性を向上することができる。
また請求項２では、一方の表示板上の表示ブロックにより時間を定量的に表示する場合には、他方の表示板上の表示ブロックにより時間を数字により表示するので、発光セグメントによる定量的な表示と数字による表示を関連付けて同時に表示することができる。
また請求項３では、表示ブロックによる定量的な時間表示においては、複数の発光セグメントを所定の配列にて配置した上で、点灯した発光セグメントの個数により時間を表示するので、直感的に時間の経過を認識することができる。
また請求項４では、一方の表示板上の表示ブロックを用いて上位を表示し、他方の表示板上の表示ブロックを用いて下位を表示することにより時間を表示するので、２桁の時間を明確に表示することができる。
また請求項５では、表示ブロックによる定量的な時間表示においては、複数の発光セグメントを所定の配列にて配置した上で、点灯した発光セグメントを順次シフトして時間を表示するので、時間の経過をセグメントの高さ位置で確認することができる。
また請求項６では、歩行禁止表示板及び歩行許可表示板は、夫々赤現示表示部及び青現示表示部に併設して数字による時間表示が可能な複数の発光セグメントから成る表示ブロックを備え、制御手段は、赤現示表示部及び青現示表示部の点灯に対応して各表示ブロックを個別に作動させることにより各表示板上で歩行禁止時間又は歩行可能時間を表示するので、数字が大きく表示でき視認性が更に高くなる。
【０００９】
また請求項７では、赤現示表示部及び青現示表示部は、夫々所定輝度の領域の面積を段階的に変化させたり、所定色の領域の面積を段階的に変化させる構成を備え、制御手段は、赤現示表示部及び青現示表示部の各領域の面積を夫々段階的に変化させることにより各表示板上に歩行禁止時間又は歩行可能時間を表示させるので、表示部が最小の構成で実現することができる。
また請求項８では、歩行禁止表示板及び歩行許可表示板は、夫々赤現示表示部及び青現示表示部に併設して時間と共に形状が変化する形状変化表示部を備え、制御手段は、赤現示表示部及び青現示表示部の何れか一方の点灯に対応して他方の形状変化表示部を個別に作動させることにより各表示板上で歩行禁止時間又は歩行可能時間を表示するので、表示面積が大きくなり、信号の視認性を向上すると共に、直感的に形状変化から時間の経過を認識することができる。
また請求項９では、制御手段は、交通信号制御機から入力された歩行者用信号灯器の赤現示表示部及び青現示表示部の点灯信号に加えてシリアル信号又は車両の現示表示部の点灯信号の何れか一方を接続し、シリアル信号又は車両の現示表示部の点灯信号に基づいて歩行禁止時間及び歩行可能時間の点灯タイミングを補正するので、車両用の信号灯器のタイミングが変化した場合に、歩行禁止時間及び歩行可能時間を事前に正確に補正することができる。
また請求項１０では、表示ブロックに赤色及び青色の点灯色を併せて備え、赤色及び青色の点灯色の何れか一方を選択的に点灯可能としたので、表示ブロックの型を１種類で構成することができ、部品単価と製造費を安価にすることができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の歩行者用信号灯器の内部ブロック図である。この歩行者用信号灯器１００は、図示しない交通信号制御機１からシリアル信号（ＳＩＯ）と、コモン信号（ＣＯＭ）と、歩行者用信号灯器の赤現示ランプ（ＰＲ）の信号と、歩行者用信号灯器の青現示ランプ（ＰＧ）の信号と、車両用信号灯器の黄現示ランプ（Ｙ）の信号と、を入力し、コモン信号（ＣＯＭ）と歩行者用信号灯器の赤現示ランプ（ＰＲ）の信号は歩行禁止表示板６を点灯し、コモン信号（ＣＯＭ）と歩行者用信号灯器の青現示ランプ（ＰＧ）の信号は歩行許可表示板８を点灯する。従来の歩行者用信号灯器は以上の信号に基づいて表示制御部３により経過時間表示部４、５、７、９を点灯していた。本発明ではそれに加えてシリアル信号（ＳＩＯ）か又は車両用信号灯器の黄現示ランプ（Ｙ）の信号を入力することにより、経過時間表示部４、５、７、９の時間を正確に点灯するようにしたものである（詳細は後述する）。尚、図１ではシリアル信号（ＳＩＯ）と車両用信号灯器の黄現示ランプ（Ｙ）の信号の両方を交通信号制御機１から入力するようにしているが、何れか一方を入力しても構わない。また、黄現示ランプ（Ｙ）を入力する例について説明したが、これに限るものではなく青現示ランプ（Ｇ）でも構わない。
【００１１】
図２は現示階梯テーブルの一例を示す図である。ここで１Ｐ、２Ｐは交差する歩行者用の信号灯器であり、１、２は交差する車両用の信号灯器を表し、太い黒線は青現示ランプ（以下、青信号と呼ぶ）、縦線は青信号の点滅、波線は黄現示ランプ（以下、黄信号と呼ぶ）、二重線は赤現示ランプ（以下、赤信号と呼ぶ）を表す。図２（ａ）では、横軸にタイミング周期を表し、縦軸に各信号灯器を表す。例えば、タイミング１では同一方向の信号灯器１Ｐ、１が青信号であり、交差する信号灯器２Ｐ、２は赤信号である。次にタイミング２では同一方向の信号灯器１Ｐの青信号が点滅し、信号灯器１が青信号であり、依然として交差する信号灯器２Ｐ、２は赤信号である。次にタイミング３では、信号灯器１Ｐが赤信号となり歩行者の横断は停止するが、信号灯器１は青信号である。タイミング４において信号灯器１Ｐは赤信号で、信号灯器１は黄信号に変わる。そしてタイミング５において全ての信号灯器が同時に赤信号となる。これにより交差点内を空にする。タイミング６により同一方向の信号灯器２Ｐ、２を青信号にして交差する信号灯器１Ｐ、１を赤信号にして前記と同様の動作を繰り返す。ここで、信号灯器１と信号灯器２Ｐ、信号灯器２と信号灯器１Ｐは互いに交差する位置にある信号である。例えば、信号灯器１と信号灯器２Ｐの場合を考えると、タイミングが図２（ａ）のように固定的に不変であれば、信号灯器２Ｐは信号灯器１のタイミング４に関わらずタイミング８〜５まで赤信号でタイミング６で青信号にしてそれ以降図のタイミングで繰り返せばよいが、実際は、信号灯器１は時間帯や交通量の変化により多少タイミングを変化（多くは青信号を増減させる）させて点灯するのが通常である。
図２（ｂ）は歩行者用赤信号の待ち時間制御を行うための計測について説明する図である。まず前回の信号灯器２Ｐの赤信号（Ｒ）の時間ａを計測する（タイミング８から５まで）。同時に前回の信号灯器２Ｐの赤信号（Ｒ）のスタートから信号灯器１の黄信号（Ｙ）までの時間ｂ（タイミング８から３まで）、前回の信号灯器１の黄信号（Ｙ）の時間ｃ（タイミング４）、前回の信号灯器１の黄信号（Ｙ）のエンドから信号２Ｐの青信号（Ｇ）のスタートまでの時間ｄを計測する(タイミング５)。このように時間ｂが変動しても例えば信号灯器１の黄信号（Ｙ）を入力することにより、残りの時間（ｃ＋ｄ）をバランスよく表示することができる。尚、信号灯器１の黄信号（Ｙ）に限らず信号灯器１の青信号（Ｇ）でも同様な判断が可能である。
【００１２】
図３は本発明の第１の実施形態に係る歩行者用の信号灯器の表示方法を示す図である。この歩行者用の信号灯器は、歩行禁止表示板１０及び歩行許可表示板１４の夫々に赤現示ランプ１３、青現示ランプ１７を備え、その少なくとも一方の側縁部に複数に配分されたＬＥＤ１２、１６と、一部が数字表示可能な数字ブロック１１、１５とで構成される表示ブロック１８、１９、を備えて構成されている。図３（ａ）は歩行者用信号灯器の歩行禁止表示板の点灯に対応して歩行禁止時間を表示する場合の図である。これは歩行禁止表示板１０に備えられた表示ブロック１８を棒グラフ状に表示し、且つ歩行許可表示板１４に備えられた表示ブロック１９を数字ブロック１５により数字表示する。図３（ｂ）は歩行者用信号灯器の歩行許可表示板の点灯に対応して歩行可能時間を表示する場合の図である。これは、歩行許可表示板１４に備えられた表示ブロック１９を棒グラフ状に表示し、且つ歩行禁止表示板１０に備えられた表示ブロック１８を数字ブロック１１により数字表示する。尚、表示色は図３（ａ）は全て赤色とし、図３（ｂ）は全て青色とすることが好ましい。また青色は緑色でも構わない。即ち、我が国の道路交通法に則って、赤は歩行禁止色、青は歩行許可色を意味（象徴）するに過ぎず、これらの色と異なる色が歩行禁止、歩行許可を夫々意味する旨の法律を有した国がある場合にはそれらの国の法律に従った色とする。
【００１３】
図４は本発明の第２の実施形態に係る歩行者用の信号灯器の表示方法を示す図である。この歩行者用の信号灯器は、歩行禁止表示板２０及び歩行許可表示板２５の夫々に赤現示ランプ２６、青現示ランプ２４を備え、その少なくとも一方の側縁部に複数に配分されたＬＥＤ２２、２３で構成される表示ブロック２８、２９、を備えて構成されている。そして歩行禁止表示板２０に備えられた表示ブロック２８を１０位の棒グラフで表示し、且つ歩行許可表示板２５に備えられた表示ブロック２９を１位の棒グラフで表示するものである。図４（ａ）は歩行者用信号灯器の歩行禁止表示板の点灯に対応して歩行禁止時間を表示する場合の図であり、赤現示ランプ２６が点灯して例えば、時間を秒数で表示する場合で歩行禁止時間が５０秒から開始するとした場合、表示ブロック２８はＬＥＤ２２が５個点灯して５０秒を表示し、そのとき表示ブロック２９は全てが滅灯している。１秒経過すると、表示ブロック２８はＬＥＤ２２が４個点灯して４０秒を表示し、そのとき表示ブロック２９は９個点灯して９秒を示し、全体で４９秒を表示する。このようにして１秒ずつ減少するように表示する。図４（ｂ）は歩行者用信号灯器の歩行許可表示板の点灯に対応して歩行可能時間を表示する場合の図であり、赤現示ランプ２６が滅灯して青現示ランプ２４が点灯する以外は上記と同じである。尚、表示色は図４（ａ）は全て赤色とし、図４（ｂ）は全て青色（緑色）とすることが好ましい。
【００１４】
図５は本発明の第３の実施形態に係る歩行者用の信号灯器の表示方法を示す図である。この歩行者用の信号灯器は、歩行禁止表示板３０及び歩行許可表示板３２の夫々に赤現示ランプ３１、青現示ランプ３５と数字表示部３４、３３を併せて備えて構成されている。図５（ａ）は歩行者用信号灯器の歩行禁止表示板の点灯に対応して歩行禁止時間を表示する場合を示す図である。これは、歩行禁止表示板３０に赤現示ランプ３１を点灯すると共に、歩行許可表示板３２に備えられた数字表示部３３により歩行禁止時間を表示する。図５（ｂ）は歩行者用信号灯器の歩行許可表示板の点灯に対応して歩行可能時間を表示する場合を示す図である。これは、歩行許可表示板３２に青現示ランプ３５を点灯すると共に、歩行禁止表示板３０に備えられた数字表示部３４により歩行可能時間を表示するものである。尚、表示色は図５（ａ）は全て赤色とし、図５（ｂ）は全て青色（緑色）とすることが好ましい。
図６は本発明の第４の実施形態に係る歩行者用の信号灯器の表示方法を示す図である。この歩行者用の信号灯器は、歩行禁止表示板４０及び歩行許可表示板４２の夫々に赤現示ランプ４１、青現示ランプ４３を備えて構成されている。図６（ａ）は歩行者用信号灯器の歩行禁止表示板の点灯に対応して歩行禁止時間を表示する場合の図であり、歩行禁止表示板４０に備えられた赤現示ランプ４１の輝度又は色を変化させる。図６（ｂ）は歩行者用信号灯器の歩行許可表示板の点灯に対応して歩行可能時間を表示する場合の図であり、歩行許可表示板４２に備えられた青現示ランプ４３の輝度又は色を変化させるものである。
【００１５】
図７は本発明の第５の実施形態に係る歩行者用の信号灯器の表示方法を示す図である。この歩行者用の信号灯器は、歩行禁止表示板５０及び歩行許可表示板５３の夫々に赤現示ランプ５１、青現示ランプ５４を備え、その少なくとも一方の側縁部に複数に配分されたＬＥＤ５２、５６を備えて構成されている。図７（ａ）は歩行者用信号灯器の歩行禁止表示板の点灯に対応して歩行禁止時間を表示する場合の図であり、赤現示ランプ５１の点灯と共に、歩行禁止表示板５０及び歩行許可表示板５３に備えられた表示ブロック５５、５７の少なくとも１つのＬＥＤ５２を順次シフトして表示する。図７（ｂ）は記歩行者用信号灯器の歩行許可表示板の点灯に対応して歩行可能時間を表示する場合の図であり、青現示ランプ５４の点灯と共に、歩行禁止表示板５０及び歩行許可表示板５３に備えられた表示ブロック５５、５７の少なくとも１つのＬＥＤ５２を点灯させて順次シフトして表示するものである。尚、表示色は図７（ａ）は全て赤色とし、図７（ｂ）は全て青色（緑色）とすることが好ましい。
図８は本発明の第６の実施形態に係る歩行者用の信号灯器の表示方法を示す図である。この歩行者用の信号灯器は、歩行禁止表示板６０及び歩行許可表示板６２の夫々に赤現示ランプ６１、青現示ランプ６５及び時間と共に形状が変化する形状変化表示部６４、６３を併せて（交互に表示可能なように構成されて）備えて構成される。図８（ａ）は歩行者用信号灯器の歩行禁止表示板の点灯に対応して歩行禁止時間を表示する場合の図であり、歩行許可表示板６２に備えられた形状変化表示部６３により歩行禁止時間を表示する。即ち、時間が経過すると形状変化表示部６３の径が小さくなる。図８（ｂ）は歩行者用信号灯器の歩行許可表示板の点灯に対応して歩行可能時間を表示する場合の図であり、歩行禁止表示板６０に備えられた形状変化表示部６４により歩行可能時間を表示するものである。尚、表示色は図８ａ）は全て赤色とし、図８（ｂ）は全て青色（緑色）とすることが好ましい。
【００１６】
図９は本発明の第７の実施形態に係る歩行者用の信号灯器の表示方法を示す図である。この歩行者用の信号灯器は、歩行禁止表示板７０及び歩行許可表示板７３の夫々に赤現示ランプ７２、青現示ランプ７５を備え、その少なくとも一方の側縁部に複数に配分されたＬＥＤ７１、７４を備えた表示部７６、７７を備えて構成されている。図９（ａ）は歩行禁止表示板７０の点灯に対応して赤現示ランプ７２の点灯と共に、表示部７６のＬＥＤ７１が上から順番に形状が小さくなるように構成されている。図９（ｂ）は歩行許可表示板７３の点灯に対応して青現示ランプ７５の点灯と共に、表示部７７のＬＥＤ７４が上から順番に形状が小さくなるように構成されている。図９（ｃ）は歩行禁止表示板７０の点灯に対応して赤現示ランプ７２の点灯と共に、表示部７８のＬＥＤ７１が上から順番に形状が小さくなるように構成され、最後のＬＥＤ８０が他より長く構成されている。これは、図２で説明した通り、最後の表示が長くなる場合に対応している。図９（ｄ）は歩行許可表示板７３の点灯に対応して青現示ランプ７５の点灯と共に、表示部７７のＬＥＤ７４が上から順番に形状が小さくなるように構成されている。図９（ｅ）は歩行禁止表示板７０の点灯に対応して赤現示ランプ７２の点灯と共に、表示部７９のＬＥＤ７１がベース型に構成されている。これは表示の方向が下に向いていることを明確に示すためである。図９（ｆ）は歩行許可表示板７３の点灯に対応して青現示ランプ７５の点灯と共に、表示部８１のＬＥＤ７４がベース型に構成されている。
【００１７】
以上の通り本発明によれば、歩行禁止表示板１０及び歩行許可表示板１４は、夫々赤現示ランプ１３及び青現示ランプ１７の近傍に互いに隣接配置され、且つ定量的な時間表示、及び数字による時間表示が可能な複数のセグメントから成る表示ブロック１８、１７を備え、制御手段は、赤現示ランプ１３及び青現示ランプ１７の点灯に対応して各表示ブロック１８、１７を個別に作動させることにより各表示板上で歩行禁止時間又は歩行可能時間を表示するので、表示面積が大きくなり、信号の視認性を向上することができる。
また、一方の表示板上の表示ブロックにより時間を定量的に表示する場合には、他方の表示板上の表示ブロックにより時間を数字により表示するので、セグメントによる定量的な表示と数字による表示を関連付けて同時に表示することができる。
また、表示ブロックによる定量的な時間表示においては、複数のセグメントを所定の配列にて配置した上で、点灯したセグメントの個数により時間を表示するので、直感的に時間の経過を認識することができる。
また、一方の表示板上の表示ブロックを用いて１０位を表示し、他方の表示板上の表示ブロックを用いて１位を表示することにより時間を表示するので、２桁の時間を明確に表示することができる。
また、表示ブロックによる定量的な時間表示においては、複数のセグメントを所定の配列にて配置した上で、点灯したセグメントを順次シフトして時間を表示するので、時間の経過をセグメントの高さ位置で確認することができる。
また、歩行禁止表示板３０及び歩行許可表示板３２は、夫々赤現示ランプ３１及び青現示ランプ３５に併設して数字による時間表示が可能な複数のセグメントから成る表示ブロック３４、３３を備え、制御手段は、赤現示ランプ３１及び青現示ランプ３５の点灯に対応して各表示ブロックを個別に作動させることにより各表示板上で歩行禁止時間又は歩行可能時間を表示するので、数字が大きく表示でき視認性が更に高くなる。
【００１８】
また、夫々段階的に輝度又は色が順次変化する赤現示ランプ４１及び青現示ランプ４３を備え、制御手段は、赤現示ランプ４１及び青現示ランプ４３を夫々段階的に輝度又は色を順次変化させることにより各表示板上で歩行禁止時間又は歩行可能時間を表示するので表示部が最小の構成で実現することができる。
また、歩行禁止表示板６０及び歩行許可表示板６２は、夫々赤現示ランプ６１及び青現示ランプ６５に併設して時間と共に形状が変化する形状変化表示部６４、６３を備え、制御手段は、赤現示ランプ６１及び青現示ランプ６５の何れか一方の点灯に対応して他方の形状変化表示部を個別に作動させることにより各表示板上で歩行禁止時間又は歩行可能時間を表示するので、表示面積が大きくなり、信号の視認性を向上すると共に、直感的に形状変化から時間の経過を認識することができる。
また、表示制御部３は、交通信号制御機１から入力された歩行者用信号灯器１００の赤現示ランプ６及び青現示ランプ８の点灯信号に加えてシリアル信号ＳＩＯ又は黄現示ランプの点灯信号Ｙの何れか一方を接続し、シリアル信号ＳＩＯ又は黄現示ランプの点灯信号Ｙに基づいて歩行禁止時間及び歩行可能時間の点灯タイミングを補正するので、車両用の信号灯器のタイミングが変化した場合に、歩行禁止時間及び歩行可能時間を事前に正確に補正することができる。
また、表示ブロックに赤色及び青色の点灯色を併せて備え、赤色及び青色の点灯色の何れか一方を選択的に点灯可能としたので、表示ブロックの型を１種類で構成することができ、部品単価と製造費を安価にすることができる。
【図面の簡単な説明】
【００１９】
【図１】本発明の歩行者用信号灯器の内部ブロック図。
【図２】現示階梯テーブルの一例を示す図。
【図３】本発明の第１の実施形態に係る歩行者用の信号灯器の表示方法を示す図。
【図４】本発明の第２の実施形態に係る歩行者用の信号灯器の表示方法を示す図。
【図５】本発明の第３の実施形態に係る歩行者用の信号灯器の表示方法を示す図。
【図６】本発明の第４の実施形態に係る歩行者用の信号灯器の表示方法を示す図。
【図７】本発明の第５の実施形態に係る歩行者用の信号灯器の表示方法を示す図。
【図８】本発明の第６の実施形態に係る歩行者用の信号灯器の表示方法を示す図。
【図９】本発明の第７の実施形態に係る歩行者用の信号灯器の表示方法を示す図。
【符号の説明】
【００２０】
１  交通信号制御機、２  電源部、３  表示制御部、４、５、７、９  経過時間表示部、６  歩行禁止表示板、８  歩行許可表示板、ＳＩＯ  シリアル信号、ＣＯＭ  コモン信号、ＰＲ  歩行者用信号灯器の赤現示ランプ信号、ＰＧ  歩行者用信号灯器の青現示ランプ信号、Ｙ  車両用信号灯器の黄現示ランプ信号、１００  歩行者用信号灯器
【図１】
2007133748.tif 000003
【図２】
2007133748.tif 000004
【図３】
2007133748.tif 000005
【図４】
2007133748.tif 000006
【図５】
2007133748.tif 000007
【図６】
2007133748.tif 000008
【図７】
2007133748.tif 000009
【図８】
2007133748.tif 000010
【図９】
2007133748.tif 000011